(57)【要約】【課題】冷房運転時の輻射パネル（輻射熱交換器）の結露や輻射暖房運転時の異音の発生を防止する。【解決手段】冷媒回路１０が、室内熱交換器２０が設けられた第１流路１２と、第１流路１２と並列に接続されていると共に、輻射パネル３０が設けられた第２流路１３を有している。暖房運転時の回路において第２流路１３における輻射パネル３０よりも下流側には、室内電動弁２３が設けられている。そして、第２流路１３において輻射パネル３０と室内電動弁２３との間に、補助熱交換器３７を設ける。【選択図】図１
2012172849.tif 000002
【特許請求の範囲】
【請求項１】
圧縮機、温風暖房を行うための室内熱交換器、輻射暖房を行うための輻射熱交換器、減圧機構および室外熱交換器を有する冷媒回路を備えた空気調和機であって、
前記冷媒回路が、
減圧機構、室外熱交換器及び圧縮機が順に設けられた主流路と、
暖房運転時、前記主流路の前記圧縮機の下流側に設けられた分岐部と前記減圧機構の上流側に設けられた合流部とを接続すると共に、前記室内熱交換器が設けられた第１流路と、
前記分岐部と前記合流部とを前記第１流路と並列に接続すると共に、前記輻射熱交換器が設けられた第２流路とを有しており、
前記第２流路において前記輻射熱交換器と前記合流部との間に、弁機構が設けられていると共に、
前記第２流路において前記輻射熱交換器と前記弁機構との間には、補助熱交換器が設けられていることを特徴とする空気調和機。
【請求項２】
前記室内熱交換器が、室内機の内部においてファンと対向するように設けられており、
前記輻射熱交換器が、室内機の表面に設けられていることを特徴とする請求項１に記載の空気調和機。
【請求項３】
前記補助熱交換器が、前記ファンによって発生した空気流が供給されるように設けられていることを特徴とする請求項２に記載の空気調和機。
【請求項４】
前記補助熱交換器が、前記室内熱交換器の一部に積層されることを特徴とする請求項３に記載の空気調和機。
【発明の詳細な説明】
【技術分野】
【０００１】
本発明は、室内熱交換器及び輻射熱交換器が並列に接続された冷媒回路を備えた空気調和機に関するものである。
【背景技術】
【０００２】
空気調和機として、圧縮機、温風暖房を行うための室内熱交換器、輻射暖房を行うための輻射パネル、減圧機構、及び室外熱交換器を有する冷媒回路を備えたものが知られている（例えば、特許文献１参照）。特許文献１に開示されている空気調和機の冷媒回路においては、室内熱交換器と輻射パネルとは並列に接続されている。
【先行技術文献】
【特許文献】
【０００３】
【特許文献１】特開平５−２８０７６２号公報
【発明の概要】
【発明が解決しようとする課題】
【０００４】
上述のような空気調和機において、暖房運転時における輻射パネルの下流側に、輻射パネルに供給される冷媒の流量を調整するための弁機構を設けることが考えられる。かかる空気調和機では、冷房運転時には弁機構は閉弁され、輻射パネルに冷媒が流れず室内熱交換器のみに冷媒が流れる状態となる。温風暖房運転時には弁機構は閉弁され、輻射パネルに冷媒が流れず室内熱交換器のみに冷媒が流れる状態となる。輻射暖房運転時には弁機構が開弁され、輻射パネル及び室内熱交換器の両方に冷媒が流れる状態となる。
【０００５】
上述の冷媒回路において、冷房運転時に、弁機構の故障等により、閉弁されているはずの弁機構から冷媒が漏れた場合には、低温低圧の冷媒が輻射パネルの配管内に流れ込み、輻射パネルに結露が生じる。また、輻射暖房運転時に、輻射パネルにおいて冷媒が完全に液化しない場合がある。このような場合には、ガス冷媒が混ざった状態の冷媒が、輻射パネルの下流側の弁機構を通過する際に異音が生じる。また、ガス冷媒が混ざった状態の冷媒が、輻射パネルの下流側において室内熱交換器からの液冷媒と合流する際に異音が生じる。
【０００６】
そこで、本発明の目的は、冷房運転時の輻射パネル（輻射熱交換器）の結露や輻射暖房運転時の異音の発生を防止できる空気調和機を提供することである。
【課題を解決するための手段】
【０００７】
第１の発明に係る空気調和機は、圧縮機、温風暖房を行うための室内熱交換器、輻射暖房を行うための輻射熱交換器、減圧機構および室外熱交換器を有する冷媒回路を備えた空気調和機であって、前記冷媒回路が、減圧機構、室外熱交換器及び圧縮機が順に設けられた主流路と、暖房運転時、前記主流路の前記圧縮機の下流側に設けられた分岐部と前記減圧機構の上流側に設けられた合流部とを接続すると共に、前記室内熱交換器が設けられた第１流路と、前記分岐部と前記合流部とを前記第１流路と並列に接続すると共に、前記輻射熱交換器が設けられた第２流路とを有しており、前記第２流路において前記輻射熱交換器と前記合流部との間に、弁機構が設けられていると共に、前記第２流路において前記輻射熱交換器と前記弁機構との間には、補助熱交換器が設けられている。
【０００８】
この空気調和機では、冷房運転時に故障等により弁機構から低温低圧冷媒が漏れた場合には、その冷媒が補助熱交換器に流入し、加熱される。したがって、低温低圧の冷媒が輻射熱交換器に直接流れ込むことがないので、輻射熱交換器の結露を防ぐことができる。また、輻射暖房運転時に、第２流路に流れ込んだ冷媒は、輻射熱交換器に流入して凝縮された後、補助熱交換器に流入する。このとき、冷媒にガス冷媒が混ざっていれば、補助熱交換器において凝縮される。よって、暖房運転時、補助熱交換器よりも下流側の弁機構や合流部に送られる冷媒を完全に液化できる。したがって、液冷媒が弁機構を通過するので異音の発生を防ぐことができる。また、合流部において第１流路の過冷却液と液同士で合流するので、異音の発生を防ぐことができる。
【０００９】
第２の発明に係る空気調和機は、第１の発明に係る空気調和機において、前記室内熱交換器が、室内機の内部においてファンと対向するように設けられており、前記輻射熱交換器が、室内機の表面に設けられている。
【００１０】
この空気調和機では、室内機の表面に設けられた輻射熱交換器に結露が生じるのを防ぐことができる。
【００１１】
第３の発明に係る空気調和機では、第２の発明に係る空気調和機において、前記補助熱交換器が、前記ファンによって発生した空気流が供給されるように設けられている。
【００１２】
この空気調和機では、補助熱交換器用のファンを別途設けることなく、室内熱交換器と対向するファンを補助熱交換器用に用いることができる。
【００１３】
第４の発明に係る空気調和機では、第３の発明に係る空気調和機において、前記補助熱交換器が、前記室内熱交換器の一部に積層される。
【００１４】
この空気調和機では、ファンによって発生した空気流が確実に補助熱交換器に供給されるようにできる。
【発明の効果】
【００１５】
以上の説明に述べたように、本発明によれば、以下の効果が得られる。
【００１６】
第１の発明では、冷房運転時に故障等により弁機構から低温低圧冷媒が漏れた場合には、その冷媒が補助熱交換器に流入し、加熱される。したがって、低温低圧の冷媒が輻射熱交換器に直接流れ込むことがないので、輻射熱交換器の結露を防ぐことができる。また、輻射暖房運転時に、第２流路に流れ込んだ冷媒は、輻射熱交換器に流入して凝縮された後、補助熱交換器に流入する。このとき、冷媒にガス冷媒が混ざっていれば、補助熱交換器において凝縮される。よって、暖房運転時、補助熱交換器よりも下流側の弁機構や合流部に送られる冷媒を完全に液化できる。したがって、液冷媒が弁機構を通過するので異音の発生を防ぐことができる。また、合流部において第１流路の過冷却液と液同士で合流するので、異音の発生を防ぐことができる。
【００１７】
第２の発明では、室内機の表面に設けられた輻射熱交換器に結露が生じるのを防ぐことができる。
【００１８】
第３の発明では、補助熱交換器用のファンを別途設けることなく、室内熱交換器と対向するファンを補助熱交換器用に用いることができる。
【００１９】
第４の発明では、ファンによって発生した空気流が確実に補助熱交換器に供給されるようにできる。
【図面の簡単な説明】
【００２０】
【図１】本発明の実施形態に係る空気調和機の概略構成を示す回路図であって、冷房運転時と温風暖房運転時の冷媒の流れを示す図である。
【図２】本発明の実施形態に係る空気調和機の概略構成を示す回路図であって、輻射暖房運転時の冷媒の流れを示す図である。
【図３】図１及び図２に示す室内機の斜視図である。
【図４】図３に示す室内機のIV−IV線に沿う断面図である。
【発明を実施するための形態】
【００２１】
以下、本発明に係る空気調和機１の実施の形態について説明する。
【００２２】
＜空気調和機１の全体構成＞
図１及び図２に示すように、本実施形態の空気調和機１は、室内に設置される室内機２と、室外に設置される室外機６とを備えている。室内機２は、室内ファン２１と対向するように設けられた室内熱交換器２０と、輻射パネル３０と、室内電動弁２３と、室内の気温を検出するための室内温度センサ２４と、を備えている。また、室外機６は、圧縮機６０と、四路切換弁６１と、室外熱交換器６２と、室外熱交換器６２の近傍に配置された室外ファン６３と、室外電動弁６４（減圧機構）とを備えている。
【００２３】
また、空気調和機１は、室内機２と室外機６とを接続する冷媒回路１０を備えている。冷媒回路１０は、室外電動弁６４、室外熱交換器６２及び圧縮機６０が順に設けられた主流路１１を有している。圧縮機６０の吸入側配管及び吐出側配管は、四路切換弁６１に接続されている。暖房運転時（後で詳述するように、冷媒回路１０において図１中実線の矢印で示す方向に冷媒が流れる時）、主流路１１の圧縮機６０の下流側となる部分に分岐部１０ａが設けられており、室外電動弁６４の上流側となる部分に合流部１０ｂが設けられている。そして、冷媒回路１０は、分岐部１０ａと合流部１０ｂとを接続すると共に、室内熱交換器２０が設けられた第１流路１２と、分岐部１０ａと合流部１０ｂとを第１流路１２と並列に接続すると共に、輻射パネル３０が設けられた第２流路１３とをさらに有している。
【００２４】
第２流路１３における輻射パネル３０と合流部１０ｂとの間には、室内電動弁（弁機構）２３が設けられている。また、第２流路１３における輻射パネル３０の両側には、パネル入温度センサ２５とパネル出温度センサ２６とが付設されている。より具体的には、パネル入温度センサ２５は、暖房運転時において、輻射パネル３０よりも上流側の配管に設けられている。パネル出温度センサ２６は、暖房運転時において、輻射パネル３０よりも下流側の配管に設けられている。さらに、輻射パネル３０と室内電動弁２３との間（より詳細には、パネル出温度センサ２６と室内電動弁２３との間）には、補助熱交換器３７が設けられている。
【００２５】
また、冷媒回路１０における圧縮機６０の吸入側と四路切換弁６１との間にはアキュムレータ６５が介設されており、冷媒回路１０における圧縮機６０の吐出側と四路切換弁６１との間には、吐出温度センサ６６が付設されている。さらに、室外熱交換器６２には、室外熱交温度センサ６８が付設されている。
【００２６】
室内熱交換器２０は、冷媒回路１０の一部を構成する配管を有しており、室内熱交温度センサ２７が付設されている。室内熱交換器２０は、室内ファン２１の風上側に配置されている。室内熱交換器２０との熱交換により加熱または冷却された空気が、室内ファン２１によって温風または冷風として室内に吹き出されることで、温風暖房または冷房が行われる。
【００２７】
輻射パネル３０は、室内機２の表面側に配置されており、冷媒回路１０の一部を構成する配管を有している。この配管を流れる冷媒の熱が室内に輻射されることで輻射暖房が行われる。室内電動弁２３は、輻射パネル３０に供給される冷媒の流量を調整するために設けられている。補助熱交換器３７は、冷媒回路１０の一部を構成する配管を有しており、室内ファン２１の風上側に配置されている。
【００２８】
本実施形態の空気調和機１は、冷房運転、温風暖房運転、及び輻射暖房運転を行うことができる。冷房運転は、輻射パネル３０に冷媒を流さないで室内熱交換器２０に冷媒を流して冷房を行う運転であって、温風暖房運転は、輻射パネル３０に冷媒を流さないで室内熱交換器２０に冷媒を流して温風暖房を行う運転である。輻射暖房運転は、室内熱交換器２０に冷媒を流して温風暖房を行うと共に、輻射パネル３０に冷媒を流して輻射暖房を行う運転である。
【００２９】
各運転時における冷媒回路１０の冷媒の流れについて図１及び図２を用いて説明する。
冷房運転時には、室内電動弁２３が閉弁されると共に、四路切換弁６１が図１中破線で示す状態に切り換えられる。そのため、図１中破線の矢印で示すように、圧縮機６０から吐出された高温高圧冷媒は、四路切換弁６１を通って、室外熱交換器６２に流入する。そして、室外熱交換器６２において凝縮した冷媒は、室外電動弁６４で減圧された後、室内熱交換器２０に流入する。そして、室内熱交換器２０において蒸発した冷媒は、四路切換弁６１及びアキュムレータ６５を介して、圧縮機６０に流入する。
【００３０】
なお、冷房運転時には、閉弁された室内電動弁２３により、室外電動弁６４で減圧された低温低圧冷媒が、第２流路１３における室内電動弁２３よりも補助熱交換器３７側に流入しないようになっている。しかしながら、故障等により室内電動弁２３から冷媒が漏れた場合には、補助熱交換器３７の配管に低温低圧の冷媒が流入し、加熱される。
【００３１】
温風暖房運転時には、室内電動弁２３が閉弁されると共に、四路切換弁６１が図1中実線で示す状態に切り換えられる。そのため、図１中実線の矢印で示すように、圧縮機６０から吐出された高温高圧冷媒は、四路切換弁６１を通って、室内熱交換器２０に流入する。そして、室内熱交換器２０において凝縮した冷媒は、室外電動弁６４で減圧された後、室外熱交換器６２に流入する。そして、室外熱交換器６２において蒸発した冷媒は、四路切換弁６１及びアキュムレータ６５を介して、圧縮機６０に流入する。なお、閉弁された室内電動弁２３により、圧縮機６０から吐出された冷媒が、第２流路１３における室内電動弁２３よりも合流部１０ｂ側に流れないようになっている。すなわち、第２流路１３においては、室内電動弁２３よりも上流側に冷媒が溜まった状態となっている。
【００３２】
輻射暖房運転時には、室内電動弁２３が開弁されると共に、四路切換弁６１が図２中実線で示す状態に切り換えられる。そのため、図２中実線の矢印で示すように、圧縮機６０から吐出された高温高圧冷媒は、四路切換弁６１を通って、第１流路１２と第２流路１３とに流れ込む。第１流路１２に流れ込んだ冷媒は、室内熱交換器２０に流入し、凝縮される。一方、第２流路１３に流れ込んだ冷媒は、輻射パネル３０に流入して凝縮された後、補助熱交換器３７に流入する。このとき、冷媒にガス冷媒が混ざっていれば、補助熱交換器３７において凝縮される。そして、室内熱交換器２０と輻射パネル３０及び補助熱交換器３７とにおいて凝縮した冷媒は、室外電動弁６４で減圧された後、室外熱交換器６２に流入する。そして、室外熱交換器６２において蒸発した冷媒は、四路切換弁６１及びアキュムレータ６５を介して、圧縮機６０に流入する。
【００３３】
＜室内機２の構成＞
次に、室内機２の構成について説明する。
図３に示すように、本実施形態の室内機２は、全体として直方体形状を有しており、室内の床面近傍に据え付けるものである。本実施形態においては、室内機２は、床面から１０ｃｍ程度浮かした状態で、壁面に取り付けられている。なお、以下の説明において、室内機２が取り付けられる壁から突出する方向を「前方」と称し、その反対の方向を「後方」と称する。また、図３に示す左右方向を単に「左右方向」と称し、上下方向を単に「上下方向」と称する。
【００３４】
図４に示すように、室内機２は、ケーシング４と、ケーシング４内に収容された室内ファン２１、室内熱交換器２０、補助熱交換器３７、吹出口ユニット４６、および電装品ユニット４７などの内部機器と、前面グリル４２とを主に備えている。後で詳述するように、ケーシング４は、その下壁に形成された主吸込口４ａと、その前壁に形成された補助吸込口４ｂ、４ｃとを有している。さらに、ケーシング４の上壁には、吹出口４ｄが形成されている。室内機２においては、室内ファン２１の駆動により、主吸込口４ａから床面近傍にある空気を吸い込みつつ、補助吸込口４ｂ、４ｃからも空気を吸い込む。そして、室内熱交換器２０において、吸い込んだ空気に対して加熱または冷却などを行い調和する。その後、調和後の空気を吹出口４ｄから吹き出し、室内へと返流させる。
【００３５】
ケーシング４は、本体フレーム４１、吹出口カバー５１、輻射パネル３０及び開閉パネル５２で構成されている。なお、後述するように、吹出口カバー５１は前面パネル部５１ａを有しており、輻射パネル３０は輻射板３１を有している。吹出口カバー５１の前面パネル部５１ａ、輻射パネル３０の輻射板３１及び開閉パネル５２は、ケーシング４の前面において面一となるように配置され、前面パネル５を構成する。図３に示すように、前面パネル５の右上端部、すなわち吹出口カバー５１の前面パネル部５１ａの右端部には、電源ボタン４８と、運転状況を示す発光表示部４９とが設けられている。
【００３６】
本体フレーム４１は、壁面に取り付けられるものであり、上述の各種内部機器を支持している。そして、前面グリル４２、吹出口カバー５１、輻射パネル３０及び開閉パネル５２は、内部機器を支持している状態の本体フレーム４１の前面に取り付けられている。吹出口カバー５１は、本体フレーム４１の上端部に取り付けられており、その上壁に左右方向に長い矩形状の開口である吹出口４ｄが形成されている。輻射パネル３０は吹出口カバー５１の下方に、開閉パネル５２は輻射パネル３０の下方にそれぞれ取り付けられている。本体フレーム４１の下前端と開閉パネル５２の下端との間は、左右方向に長い開口である主吸込口４ａとなっている。
【００３７】
ここで、ケーシング４内に収容される各内部機器について説明する。
室内ファン２１は、ケーシング４の高さ方向中央部分のやや上方において、その軸方向が左右方向に沿うように配置されている。室内ファン２１は、下前方から空気を吸い込んで、上後方に吹き出すようになっている。
【００３８】
室内熱交換器２０は、前面パネル５と略平行に配置されており、前面パネル５の背面と対向する前面熱交換器２０ａと、前面熱交換器２０ａの下端部近傍から背面に近付くにつれて上方に傾斜する背面熱交換器２０ｂとで構成されている。前面熱交換器２０ａは、室内ファン２１の前方に配置されており、その上半分が室内ファン２１と対向している。背面熱交換器２０ｂは、室内ファン２１の下方に配置されており、室内ファン２１と対向している。すなわち、室内熱交換器２０は、全体として略Ｖ字の形状を有しており、室内ファン２１の前方と下方とを取り囲むように配置されている。
【００３９】
補助熱交換器３７は、背面熱交換器２０ｂの背面に積層されている。すなわち、室内ファン２１によって発生した空気流が、室内熱交換器２０だけでなく、補助熱交換器３７にも供給されるようになっている。
【００４０】
室内熱交換器２０及び補助熱交換器３７の下方には、左右方向に延在するドレンパン２２が配置されている。また、ドレンパン２２の下方には、電装品ユニット４７が配置されている。
【００４１】
吹出口ユニット４６は、室内ファン２１の上方に配置されており、室内ファン２１から吹き出された空気をケーシング４の上壁に形成された吹出口４ｄへと導くものである。吹出口ユニット４６は、吹出口４ｄの近傍に配置される水平羽根４６ａと、水平羽根４６ａの下方に配置される垂直羽根４６ｂとを備えている。水平羽根４６ａは、吹出口４ｄから吹き出される空気流の上下方向の風向きを変更すると共に、吹出口４ｄの開閉を行う。垂直羽根４６ｂは、吹出口４ｄから吹き出される空気流の左右方向の風向きを変更する。
【００４２】
前面グリル４２は、上述のように、室内熱交換器２０、補助熱交換器３７、室内ファン２１、吹出口ユニット４６及び電装品ユニット４７などの内部機器が取り付けられた状態の本体フレーム４１を覆うように、本体フレーム４１に取り付けられる。より具体的には、前面グリル４２は、前面熱交換器２０ａの上下方向略中央部分から、本体フレーム４１の下端までを覆うように、本体フレーム４１に取り付けられている。前面グリル４２は、フィルタ保持部４２ａと、主吸込口４ａに配置される吸込口グリル４２ｂとを有している。
【００４３】
フィルタ保持部４２ａには、下部フィルタ４３と上部フィルタ４４とが取り付けられる。図４に示すように、フィルタ保持部４２ａに保持された下部フィルタ４３は、前面熱交換器２０ａの上下方向略中央部分から下方に延在していると共に、その下端部が後斜め方向に傾斜している。下部フィルタ４３の下端は、主吸込口４ａの後端縁近傍に位置している。また、上部フィルタ４４は、前面熱交換器２０ａの上下方向略中央部分から上方に延在している。そして、これら下部フィルタ４３と上部フィルタ４４とによって、前面熱交換器２０ａと前面パネル５との間の空間が、前後方向に関して分割されている。
【００４４】
吹出口カバー５１は、吹出口ユニット４６を覆っている。そして、上述のように、吹出口カバー５１の上壁には吹出口４ｄが形成されている。また、吹出口カバー５１の前面には、前面パネル部５１ａが設けられている。前面パネル部５１ａは、左右方向に長い矩形形状を有している。
【００４５】
輻射パネル３０は、左右に長い略矩形形状を有している。輻射パネル３０は、アルミ製の輻射板３１と、輻射板３１の背面に取り付けられた樹脂製の断熱カバー３２とで主に構成されている。輻射板３１は、吹出口カバー５１の前面パネル部５１ａの下方に位置している。図４に示すように、輻射板３１の背面には、冷媒回路１０を構成する配管の一部であるパネル配管３６が取り付けられている。
【００４６】
開閉パネル５２は、輻射パネル３０の輻射板３１の下方に着脱可能に取り付けられている。開閉パネル５２は、左右方向に長い矩形形状を有している。図４に示すように、開閉パネル５２の上端の上下方向位置は、前面グリル４２の上端とほぼ同じである。上述のように、開閉パネル５２の下端は、主吸込口４ａの一部を構成している。したがって、開閉パネル５２を取り外すことにより、前面グリル４２を露出させ、前面グリル４２のフィルタ保持部４２ａに取り付けられている下部フィルタ４３及び上部フィルタ４４の着脱を行うことができる。
【００４７】
＜本実施形態の空気調和機１の特徴＞
本実施形態の空気調和機１では、冷媒回路１０が、室内熱交換器２０が設けられた第１流路１２と、第１流路１２と並列に接続されていると共に、輻射パネル３０が設けられた第２流路１３とを有している。暖房運転時の回路において第２流路１３における輻射パネル３０よりも下流側には、室内電動弁２３が設けられている。また、第２流路１３において輻射パネル３０と室内電動弁２３との間には、補助熱交換器３７が設けられている。
したがって、冷房運転時に故障等により室内電動弁２３から低温低圧冷媒が漏れた場合には、その冷媒が補助熱交換器３７に流入し、加熱される。したがって、低温低圧の冷媒が輻射パネル３０に直接流れ込むことがないので、輻射パネル３０の結露を防ぐことができる。また、輻射暖房運転時に、第２流路１３に流れ込んだ冷媒は、輻射パネル３０に流入して凝縮された後、補助熱交換器３７に流入する。このとき、冷媒にガス冷媒が混ざっていれば、補助熱交換器３７において凝縮される。よって、暖房運転時、補助熱交換器３７よりも下流側の室内電動弁２３や合流部１０ｂに送られる冷媒を完全に液化できる。したがって、液冷媒が室内電動弁２３を通過するので異音の発生を防ぐことができる。また、合流部１０ｂにおいて第１流路１２の過冷却液と液同士で合流するので、異音の発生を防ぐことができる。
【００４８】
また、本実施形態の空気調和機１では、室内熱交換器２０が室内機２の内部において室内ファン２１と対向するように設けられており、輻射パネル３０が室内機２の前面に設けられている。したがって、室内機２の前面に設けられた輻射パネル３０に結露が生じるのを防ぐことができる。
【００４９】
さらに、本実施形態の空気調和機１では、補助熱交換器３７が、室内ファン２１によって発生した空気流が供給されるように設けられている。したがって、補助熱交換器３７用のファンを別途設けることなく、室内熱交換器２０と対向する室内ファン２１を補助熱交換器３７用に用いることができる。
【００５０】
加えて、本実施形態の空気調和機１では、補助熱交換器３７が、室内熱交換器２０の背面熱交換器２０ｂに積層される。したがって、室内ファン２１によって発生した空気流が確実に補助熱交換器３７に供給されるようにできる。
【００５１】
以上、本発明の実施形態について図面に基づいて説明したが、具体的な構成は、これらの実施形態に限定されるものでないと考えられるべきである。本発明の範囲は、上記した実施形態の説明ではなく特許請求の範囲によって示され、さらに特許請求の範囲と均等の意味及び範囲内でのすべての変更が含まれる。
【００５２】
上述の実施形態では、補助熱交換器３７が、室内熱交換器２０と対向する室内ファン２１によって発生した空気流が供給されるように設けられている場合について説明したが、これには限定されない。室内ファン２１の他に、補助熱交換器３７に空気流を供給するファンが別途設けられていてもよい。
【００５３】
加えて、上述の実施形態では、補助熱交換器３７が、室内熱交換器２０の背面熱交換器２０ｂに積層されている場合について説明したが、これには限定されない。補助熱交換器３７は、室内熱交換器２０の前面熱交換器２０ａに積層されていてもよい。また、補助熱交換器３７は、室内熱交換器２０と一体に設けられていてもよい。さらに、補助熱交換器３７は、室内ファン２１によって発生した空気流が供給される位置で、単独で配置されていてもよい。
【産業上の利用可能性】
【００５４】
本発明を利用すれば、冷房運転時の輻射パネル（輻射熱交換器）の結露や輻射暖房運転時の異音の発生を防止できる。
【符号の説明】
【００５５】
１  空気調和機
２  室内機
１０  冷媒回路
１０ａ  分岐部
１０ｂ  合流部
１１  主流路
１２  第１流路
１３  第２流路
２０  室内熱交換器
２１  室内ファン
２３  室内電動弁（弁機構）
３０  輻射パネル（輻射熱交換器）
３７  補助熱交換器
６０  圧縮機
６２  室外熱交換器
６４  室外電動弁（減圧機構）
【図１】
2012172849.tif 000003
【図２】
2012172849.tif 000004
【図３】
2012172849.tif 000005
【図４】
2012172849.tif 000006